(57)【要約】  ＩＰ電話と加入電話との通話切替え、または、ＩＰ電話とＩＰ電話との通話切替えを可能とするルータ装置を提供する。【課題】【解決手段】  本発明にかかるルータ装置（１００）は、加入電話網２０００への接続口（１０２）、及び、ＡＤＳＬやＣＡＴＶ等のインターネット網１０００への接続口（１０１）、更に、既存の電話機１０への接続口（１０３）少なくとも有し、ＩＰ電話サービスや加入電話網にて通話が可能なルータ装置（１００）において、電話機にて通話中に新たな着信を受けた際に着信の通信網をユーザに通知する機能と、ＩＰ電話と加入電話との通話切替え、ＩＰ電話とＩＰ電話との通話切替えを行う機能と、を有する。【選択図】  図２
2005073085.tif 000002
【特許請求の範囲】
【請求項１】
加入電話網への接続口、インターネット網への接続口及び電話機への接続口を少なくとも有し、インターネット網を介したＩＰ電話通信、及び、加入電話網を介した加入電話通信が可能なルータ装置であって、
新たな通信網に切り替えるための切替要求信号を、外部の電話機から前記電話機への接続口を介して受信した際に、保留音を生成し、該生成した保留音を、前記インターネット網への接続口を介して前記インターネット網を介したＩＰ電話通信相手、または、前記加入電話網への接続口を介して前記加入電話網を介した加入電話通信相手に通知する保留音通知手段と、
前記切替要求信号を受信した状況に応じて、第１のＩＰ電話通信から第２のＩＰ電話通信への通話切替、ＩＰ電話通信から加入電話通信への通話切替、加入電話通信からＩＰ電話通信への通話切替、第１の加入電話通信から第２の加入電話通信への通話切替、の何れかの通話切替を行い、前記電話機と前記ＩＰ電話通話相手との前記インターネット網を介したＩＰ電話通信、または、前記電話機と前記加入電話通話相手との前記加入電話網を介した加入電話通信を行う通話切替手段と、
を有することを特徴とするルータ装置。
【請求項２】
前記インターネット網への接続口、または、前記加入電話網への接続口を介して通知される新たな着信信号を受信した際に、前記受信した着信信号を外部の電話機に前記電話機への接続口を介して通知する着信信号通知手段を更に有することを特徴とする請求項１記載のルータ装置。
【請求項３】
前記インターネット網への接続口と前記電話機への接続口とを介して前記電話機と第１のＩＰ電話通信相手とが第１のＩＰ電話通信を行っていた際に、前記インターネット網への接続口を介して第２のＩＰ電話着信信号を受信した状況において、前記切替要求信号を受信した際に、
前記保留音通知手段は、前記インターネット網への接続口を介して前記第１のＩＰ電話通信相手に前記保留音を通知し、
前記通話切替手段は、前記第１のＩＰ電話通信から第２のＩＰ電話通信への通話切替を行うことを特徴とする請求項１記載のルータ装置。
【請求項４】
前記インターネット網への接続口と前記電話機への接続口とを介して前記電話機とＩＰ電話通信相手とがＩＰ電話通信を行っていた際に、前記加入電話網への接続口を介して加入電話着信信号を受信した状況において、前記切替要求信号を受信した際に、
前記保留音通知手段は、前記インターネット網への接続口を介して前記ＩＰ電話通信相手に前記保留音を通知し、
前記通話切替手段は、前記ＩＰ電話通信から加入電話通信への通話切替を行うことを特徴とする請求項１記載のルータ装置。
【請求項５】
前記加入電話網への接続口と前記電話機への接続口とを介して前記電話機と加入電話通信相手とが加入電話通信を行っていた際に、前記インターネット網への接続口を介してＩＰ電話着信信号を受信した状況において、前記切替要求信号を受信した際に、
前記保留音通知手段は、前記加入電話網への接続口を介して前記加入電話通信相手に前記保留音を通知し、
前記通話切替手段は、前記加入電話通信からＩＰ電話通信への通話切替を行うことを特徴とする請求項１記載のルータ装置。
【請求項６】
前記加入電話網への接続口と前記電話機への接続口とを介して前記電話機と第１の加入電話通信相手とが第１の加入電話通信を行っていた際に、前記加入電話網への接続口を介して加入電話着信信号を受信した状況において、前記切替要求信号を受信した際に、
前記保留音通知手段は、前記加入電話網への接続口を介して前記第１の加入電話通信相手に前記保留音を通知し、
前記通話切替手段は、前記第１の加入電話通信から第２の加入電話通信への通話切替を行うことを特徴とする請求項１記載のルータ装置。
【請求項７】
前記インターネット網への接続口と前記電話機への接続口とを介して前記電話機と第１のＩＰ電話通信相手とが第１のＩＰ電話通信を行っていた状況において、前記切替要求信号を受信した際に、
前記保留音通知手段は、前記インターネット網への接続口を介して前記第１のＩＰ電話通信相手に前記保留音を通知し、
前記通話切替手段は、前記電話機への接続口を介して前記電話機から通知されるダイヤル番号がＩＰ電話発信と認識した場合に、前記第１のＩＰ電話通信から第２のＩＰ電話通信への通話切替を行うことを特徴とする請求項１記載のルータ装置。
【請求項８】
前記インターネット網への接続口と前記電話機への接続口とを介して前記電話機とＩＰ電話通信相手とがＩＰ電話通信を行っていた状況において、前記切替要求信号を受信した際に、
前記保留音通知手段は、前記インターネット網への接続口を介して前記ＩＰ電話通信相手に前記保留音を通知し、
前記通話切替手段は、前記電話機への接続口を介して前記電話機から通知されるダイヤル番号が加入電話発信と認識した場合に、前記ＩＰ電話通信から加入電話通信への通話切替を行うことを特徴とする請求項１記載のルータ装置。
【請求項９】
前記加入電話網への接続口と前記電話機への接続口とを介して前記電話機と加入電話通信相手とが加入電話通信を行っていた状況において、前記切替要求信号を受信した際に、
前記保留音通知手段は、前記加入電話網への接続口を介して前記加入電話通信相手に前記保留音を通知し、
前記通話切替手段は、前記電話機への接続口を介して前記電話機から通知されるダイヤル番号がＩＰ電話発信と認識した場合に、前記加入電話通信からＩＰ電話通信への通話切替を行うことを特徴とする請求項１記載のルータ装置。
【請求項１０】
前記加入電話網への接続口と前記電話機への接続口とを介して前記電話機と第１の加入電話通信相手とが第１の加入電話通信を行っていた状況において、前記切替要求信号を受信した際に、
前記保留音通知手段は、前記加入電話網への接続口を介して前記第１の加入電話通信相手に前記保留音を通知し、
前記通話切替手段は、前記電話機への接続口を介して前記電話機から通知されるダイヤル番号が加入電話発信と認識した場合に、前記第１の加入電話通信から第２の加入電話通信への通話切替を行うことを特徴とする請求項１記載のルータ装置。
【請求項１１】
加入電話網への接続口、インターネット網への接続口及び電話機への接続口を少なくとも有し、インターネット網を介したＩＰ電話通信、及び、加入電話網を介した加入電話通信が可能なルータ装置を用いた通話制御方法であって、
外部の電話機から、新たな通信網に切り替えるための切替要求信号を、前記ルータ装置が受信した際に、前記ルータ装置が保留音を生成し、該生成した保留音を、前記インターネット網を介したＩＰ電話通信相手、または、前記加入電話網を介した加入電話通信相手に通知する保留音通知工程と、
前記切替要求信号を前記ルータ装置が受信した状況に応じて、前記ルータ装置が、第１のＩＰ電話通信から第２のＩＰ電話通信への通話切替、ＩＰ電話通信から加入電話通信への通話切替、加入電話通信からＩＰ電話通信への通話切替、第１の加入電話通信から第２の加入電話通信への通話切替、の何れかの通話切替を行い、前記電話機と前記ＩＰ電話通話相手との前記インターネット網を介したＩＰ電話通信、または、前記電話機と前記加入電話通話相手との前記加入電話網を介した加入電話通信を行う通話切替工程と、
を行うことを特徴とする通話制御方法。
【請求項１２】
前記インターネット網、または、前記加入電話網を介して通知される新たな着信信号を前記ルータ装置が受信した際に、前記ルータ装置が前記着信信号を外部の電話機に通知する回線種別通知工程を更に行うことを特徴とする請求項１１記載の通話制御方法。
【請求項１３】
前記インターネット網への接続口と前記電話機への接続口とを介して前記電話機が第１のＩＰ電話通話相手と第１のＩＰ電話通信を行っていた際に、前記インターネット網を介して第２のＩＰ電話着信信号を前記ルータ装置が受信した状況において、前記切替要求信号を前記ルータ装置が受信した際に、
前記ルータ装置が、前記インターネット網を介して前記第１のＩＰ電話通信相手に前記保留音を通知し、
前記ルータ装置が、前記第１のＩＰ電話通信から第２のＩＰ電話通信への通話切替を行うことを特徴とする請求項１１記載の通話制御方法。
【請求項１４】
前記インターネット網への接続口と前記電話機への接続口とを介して前記電話機がＩＰ電話通話相手とＩＰ電話通信を行っていた際に、前記加入電話網を介して加入電話着信信号を前記ルータ装置が受信した状況において、前記切替要求信号を前記ルータ装置が受信した際に、
前記ルータ装置が、前記インターネット網を介して前記ＩＰ電話通信相手に前記保留音を通知し、
前記ルータ装置が、前記ＩＰ電話通信から加入電話通信への通話切替を行うことを特徴とする請求項１１記載の通話制御方法。
【請求項１５】
前記加入電話網への接続口と前記電話機への接続口とを介して前記電話機が加入電話通話相手と加入電話通信を行っていた際に、前記インターネット網を介してＩＰ電話着信信号を前記ルータ装置が受信した状況において、前記切替要求信号を前記ルータ装置が受信した際に、
前記ルータ装置が、前記加入電話網を介して前記加入電話通信相手に前記保留音を通知し、
前記ルータ装置が、前記加入電話通信からＩＰ電話通信への通話切替を行うことを特徴とする請求項１１記載の通話制御方法。
【請求項１６】
前記加入電話網への接続口と前記電話機への接続口とを介して前記電話機が第１の加入電話通話相手と第１の加入電話通信を行っていた際に、前記加入電話網を介して加入電話着信信号を前記ルータ装置が受信した状況において、前記切替要求信号を前記ルータ装置が受信した際に、
前記ルータ装置が、前記加入電話網を介して前記第１の加入電話通信相手に前記保留音を通知し、
前記ルータ装置が、前記第１の加入電話通信から第２の加入電話通信への通話切替を行うことを特徴とする請求項１１記載の通話制御方法。
【請求項１７】
前記インターネット網への接続口と前記電話機への接続口とを介して前記電話機が第１のＩＰ電話通話相手と第１のＩＰ電話通信を行っていた状況において、前記切替要求信号を前記ルータ装置が受信した際に、
前記ルータ装置が、前記インターネット網を介して前記第１のＩＰ電話通信相手に前記保留音を通知し、
前記ルータ装置が、前記電話機から通知されるダイヤル番号がＩＰ電話発信と認識した場合に、前記ルータ装置が前記第１のＩＰ電話通信から第２のＩＰ電話通信への通話切替を行うことを特徴とする請求項１１記載の通話制御方法。
【請求項１８】
前記インターネット網への接続口と前記電話機への接続口とを介して前記電話機がＩＰ電話通話相手とＩＰ電話通信を行っていた状況において、前記切替要求信号を前記ルータ装置が受信した際に、
前記ルータ装置が、前記インターネット網を介して前記ＩＰ電話通信相手に前記保留音を通知し、
前記ルータ装置が、前記電話機から通知されるダイヤル番号が加入電話発信と認識した場合に、前記ルータ装置が前記ＩＰ電話通信から加入電話通信への通話切替を行うことを特徴とする請求項１１記載の通話制御方法。
【請求項１９】
前記加入電話網への接続口と前記電話機への接続口とを介して前記電話機が加入電話通話相手と加入電話通信を行っていた状況において、前記切替要求信号を前記ルータ装置が受信した際に、
前記ルータ装置が、前記加入電話網を介して前記加入電話通信相手に前記保留音を通知し、
前記ルータ装置が、前記電話機から通知されるダイヤル番号がＩＰ電話発信と認識した場合に、前記ルータ装置が前記加入電話通信からＩＰ電話通信への通話切替を行うことを特徴とする請求項１１記載の通話制御方法。
【請求項２０】
前記加入電話網への接続口と前記電話機への接続口とを介して前記電話機が第１の加入電話通話相手と第１の加入電話通信を行っていた状況において、前記切替要求信号を前記ルータ装置が受信した際に、
前記ルータ装置が、前記加入電話網を介して前記第１の加入電話通信相手に前記保留音を通知し、
前記ルータ装置が、前記電話機から通知されるダイヤル番号が加入電話発信と認識した場合に、前記ルータ装置が前記第１の加入電話通信から第２の加入電話通信への通話切替を行うことを特徴とする請求項１１記載の通話制御方法。
【発明の詳細な説明】
【技術分野】
【０００１】
本発明は、電話回線網とインターネット網との両方の通信網の利用を可能とするルータ装置及び通話制御方法に関するものである。
【背景技術】
【０００２】
近年、ＩＰ電話通話サービスはめざましい発展を遂げており、ＩＰ電話間やＩＰ電話と加入電話との間でのキャッチホンサービスや３者通話サービスは、ＲＦＣやインターネットドラフトでも議論が進められているものの、未だ決定的な手順が定まっていないのが現状である。このＩＰ電話通話サービスの発展に伴い、キャッチホンサービスや３者通話サービスをいち早く市場に提供するには、ルータ装置単独でのサービス提供であると考えた。
【０００３】
なお、本発明より先に出願された技術文献として、電話回線網に接続され該電話回線網を通じて音声通話を行うことが可能となる電話回線用信号処理部と、コンピュータ通信ネットワークに接続され該コンピュータ通信ネットワークを通じて音声通話を行うことが可能となるＶＯＩＰエンジン部と、電話回線用信号処理部とＶＯＩＰエンジン部とを切換接続する切換部とを備え、一般の電話回線網とコンピュータ通信ネットワークのいずれを通じても通話を行うことが可能となる電話システムがある（例えば、特許文献１参照）。
【特許文献１】特開２００２−２４７１８７号公報
【発明の開示】
【発明が解決しようとする課題】
【０００４】
しかしながら、上記特許文献１は、電話機として使用する端末装置において、一般の電話回線網に接続できる機能に加えて、インターネットに接続できる機能を備えた構成を構築しており、既存の一般的な電話機を利用できない点にある。
【０００５】
本発明は上記事情に鑑みてなされたものであり、ＩＰ電話と加入電話との通話切替え、または、ＩＰ電話とＩＰ電話との通話切替えを可能とするルータ装置及び通話制御方法を提供することを目的とするものである。
【課題を解決するための手段】
【０００６】
かかる目的を達成するために、本発明は以下の特徴を有することとする。
【０００７】
本発明にかかるルータ装置は、加入電話網への接続口、インターネット網への接続口及び電話機への接続口を少なくとも有し、インターネット網を介したＩＰ電話通信、及び、加入電話網を介した加入電話通信が可能なルータ装置であって、新たな通信網に切り替えるための切替要求信号を、外部の電話機から電話機への接続口を介して受信した際に、保留音を生成し、該生成した保留音を、インターネット網への接続口を介してインターネット網を介したＩＰ電話通信相手、または、加入電話網への接続口を介して加入電話網を介した加入電話通信相手に通知する保留音通知手段と、切替要求信号を受信した状況に応じて、第１のＩＰ電話通信から第２のＩＰ電話通信への通話切替、ＩＰ電話通信から加入電話通信への通話切替、加入電話通信からＩＰ電話通信への通話切替、第１の加入電話通信から第２の加入電話通信への通話切替、の何れかの通話切替を行い、電話機とＩＰ電話通話相手とのインターネット網を介したＩＰ電話通信、または、電話機と加入電話通話相手との加入電話網を介した加入電話通信を行う通話切替手段と、を有することを特徴とする。
【０００８】
また、本発明にかかるルータ装置は、インターネット網への接続口、または、加入電話網への接続口を介して通知される新たな着信信号を受信した際に、受信した着信信号を外部の電話機に電話機への接続口を介して通知する着信信号通知手段を更に有することを特徴とする。
【０００９】
また、本発明にかかるルータ装置は、インターネット網への接続口と電話機への接続口とを介して電話機と第１のＩＰ電話通信相手とが第１のＩＰ電話通信を行っていた際に、インターネット網への接続口を介して第２のＩＰ電話着信信号を受信した状況において、切替要求信号を受信した際に、保留音通知手段は、インターネット網への接続口を介して第１のＩＰ電話通信相手に保留音を通知し、通話切替手段は、第１のＩＰ電話通信から第２のＩＰ電話通信への通話切替を行うことを特徴とする。
【００１０】
また、本発明にかかるルータ装置は、インターネット網への接続口と電話機への接続口とを介して電話機とＩＰ電話通信相手とがＩＰ電話通信を行っていた際に、加入電話網への接続口を介して加入電話着信信号を受信した状況において、切替要求信号を受信した際に、保留音通知手段は、インターネット網への接続口を介してＩＰ電話通信相手に保留音を通知し、通話切替手段は、ＩＰ電話通信から加入電話通信への通話切替を行うことを特徴とする。
【００１１】
また、本発明にかかるルータ装置は、加入電話網への接続口と電話機への接続口とを介して電話機と加入電話通信相手とが加入電話通信を行っていた際に、インターネット網への接続口を介してＩＰ電話着信信号を受信した状況において、切替要求信号を受信した際に、保留音通知手段は、加入電話網への接続口を介して加入電話通信相手に保留音を通知し、通話切替手段は、加入電話通信からＩＰ電話通信への通話切替を行うことを特徴とする。
【００１２】
また、本発明にかかるルータ装置は、加入電話網への接続口と電話機への接続口とを介して電話機と第１の加入電話通信相手とが第１の加入電話通信を行っていた際に、加入電話網への接続口を介して加入電話着信信号を受信した状況において、切替要求信号を受信した際に、保留音通知手段は、加入電話網への接続口を介して第１の加入電話通信相手に保留音を通知し、通話切替手段は、第１の加入電話通信から第２の加入電話通信への通話切替を行うことを特徴とする。
【００１３】
また、本発明にかかるルータ装置は、インターネット網への接続口と電話機への接続口とを介して電話機と第１のＩＰ電話通信相手とが第１のＩＰ電話通信を行っていた状況において、切替要求信号を受信した際に、保留音通知手段は、インターネット網への接続口を介して第１のＩＰ電話通信相手に保留音を通知し、通話切替手段は、電話機への接続口を介して電話機から通知されるダイヤル番号がＩＰ電話発信と認識した場合に、第１のＩＰ電話通信から第２のＩＰ電話通信への通話切替を行うことを特徴とする。
【００１４】
また、本発明にかかるルータ装置は、インターネット網への接続口と電話機への接続口とを介して電話機とＩＰ電話通信相手とがＩＰ電話通信を行っていた状況において、切替要求信号を受信した際に、保留音通知手段は、インターネット網への接続口を介してＩＰ電話通信相手に保留音を通知し、通話切替手段は、電話機への接続口を介して電話機から通知されるダイヤル番号が加入電話発信と認識した場合に、ＩＰ電話通信から加入電話通信への通話切替を行うことを特徴とする。
【００１５】
また、本発明にかかるルータ装置は、加入電話網への接続口と電話機への接続口とを介して電話機と加入電話通信相手とが加入電話通信を行っていた状況において、切替要求信号を受信した際に、保留音通知手段は、加入電話網への接続口を介して加入電話通信相手に保留音を通知し、通話切替手段は、電話機への接続口を介して電話機から通知されるダイヤル番号がＩＰ電話発信と認識した場合に、加入電話通信からＩＰ電話通信への通話切替を行うことを特徴とする。
【００１６】
また、本発明にかかるルータ装置は、加入電話網への接続口と電話機への接続口とを介して電話機と第１の加入電話通信相手とが第１の加入電話通信を行っていた状況において、切替要求信号を受信した際に、保留音通知手段は、加入電話網への接続口を介して第１の加入電話通信相手に保留音を通知し、通話切替手段は、電話機への接続口を介して電話機から通知されるダイヤル番号が加入電話発信と認識した場合に、第１の加入電話通信から第２の加入電話通信への通話切替を行うことを特徴とする。
【００１７】
また、本発明にかかる通話制御方法は、加入電話網への接続口、インターネット網への接続口及び電話機への接続口を少なくとも有し、インターネット網を介したＩＰ電話通信、及び、加入電話網を介した加入電話通信が可能なルータ装置を用いた通話制御方法であって、外部の電話機から、新たな通信網に切り替えるための切替要求信号を、ルータ装置が受信した際に、ルータ装置が保留音を生成し、該生成した保留音を、インターネット網を介したＩＰ電話通信相手、または、加入電話網を介した加入電話通信相手に通知する保留音通知工程と、切替要求信号をルータ装置が受信した状況に応じて、ルータ装置が、第１のＩＰ電話通信から第２のＩＰ電話通信への通話切替、ＩＰ電話通信から加入電話通信への通話切替、加入電話通信からＩＰ電話通信への通話切替、第１の加入電話通信から第２の加入電話通信への通話切替、の何れかの通話切替を行い、電話機とＩＰ電話通話相手とのインターネット網を介したＩＰ電話通信、または、電話機と加入電話通話相手との加入電話網を介した加入電話通信を行う通話切替工程と、を行うことを特徴とする。
【００１８】
また、本発明にかかる通話制御方法は、インターネット網、または、加入電話網を介して通知される新たな着信信号をルータ装置が受信した際に、ルータ装置が着信信号を外部の電話機に通知する回線種別通知工程を更に行うことを特徴とする。
【００１９】
また、本発明にかかる通話制御方法は、インターネット網への接続口と電話機への接続口とを介して電話機が第１のＩＰ電話通話相手と第１のＩＰ電話通信を行っていた際に、インターネット網を介して第２のＩＰ電話着信信号をルータ装置が受信した状況において、切替要求信号をルータ装置が受信した際に、ルータ装置が、インターネット網を介して第１のＩＰ電話通信相手に保留音を通知し、ルータ装置が、第１のＩＰ電話通信から第２のＩＰ電話通信への通話切替を行うことを特徴とする。
【００２０】
また、本発明にかかる通話制御方法は、インターネット網への接続口と電話機への接続口とを介して電話機がＩＰ電話通話相手とＩＰ電話通信を行っていた際に、加入電話網を介して加入電話着信信号をルータ装置が受信した状況において、切替要求信号をルータ装置が受信した際に、ルータ装置が、インターネット網を介してＩＰ電話通信相手に保留音を通知し、ルータ装置が、ＩＰ電話通信から加入電話通信への通話切替を行うことを特徴とする。
【００２１】
また、本発明にかかる通話制御方法は、加入電話網への接続口と電話機への接続口とを介して電話機が加入電話通話相手と加入電話通信を行っていた際に、インターネット網を介してＩＰ電話着信信号をルータ装置が受信した状況において、切替要求信号をルータ装置が受信した際に、ルータ装置が、加入電話網を介して加入電話通信相手に保留音を通知し、ルータ装置が、加入電話通信からＩＰ電話通信への通話切替を行うことを特徴とする。
【００２２】
また、本発明にかかる通話制御方法は、加入電話網への接続口と電話機への接続口とを介して電話機が第１の加入電話通話相手と第１の加入電話通信を行っていた際に、加入電話網を介して加入電話着信信号をルータ装置が受信した状況において、切替要求信号をルータ装置が受信した際に、ルータ装置が、加入電話網を介して第１の加入電話通信相手に保留音を通知し、ルータ装置が、第１の加入電話通信から第２の加入電話通信への通話切替を行うことを特徴とする。
【００２３】
また、本発明にかかる通話制御方法は、インターネット網への接続口と電話機への接続口とを介して電話機が第１のＩＰ電話通話相手と第１のＩＰ電話通信を行っていた状況において、切替要求信号をルータ装置が受信した際に、ルータ装置が、インターネット網を介して第１のＩＰ電話通信相手に保留音を通知し、ルータ装置が、電話機から通知されるダイヤル番号がＩＰ電話発信と認識した場合に、ルータ装置が第１のＩＰ電話通信から第２のＩＰ電話通信への通話切替を行うことを特徴とする。
【００２４】
また、本発明にかかる通話制御方法は、インターネット網への接続口と電話機への接続口とを介して電話機がＩＰ電話通話相手とＩＰ電話通信を行っていた状況において、切替要求信号をルータ装置が受信した際に、ルータ装置が、インターネット網を介してＩＰ電話通信相手に保留音を通知し、ルータ装置が、電話機から通知されるダイヤル番号が加入電話発信と認識した場合に、ルータ装置がＩＰ電話通信から加入電話通信への通話切替を行うことを特徴とする。
【００２５】
また、本発明にかかる通話制御方法は、加入電話網への接続口と電話機への接続口とを介して電話機が加入電話通話相手と加入電話通信を行っていた状況において、切替要求信号をルータ装置が受信した際に、ルータ装置が、加入電話網を介して加入電話通信相手に保留音を通知し、ルータ装置が、電話機から通知されるダイヤル番号がＩＰ電話発信と認識した場合に、ルータ装置が加入電話通信からＩＰ電話通信への通話切替を行うことを特徴とする。
【００２６】
また、本発明にかかる通話制御方法は、加入電話網への接続口と電話機への接続口とを介して電話機が第１の加入電話通話相手と第１の加入電話通信を行っていた状況において、切替要求信号をルータ装置が受信した際に、ルータ装置が、加入電話網を介して第１の加入電話通信相手に保留音を通知し、ルータ装置が、電話機から通知されるダイヤル番号が加入電話発信と認識した場合に、ルータ装置が第１の加入電話通信から第２の加入電話通信への通話切替を行うことを特徴とする。
【発明の効果】
【００２７】
本発明にかかるルータ装置及び通話制御方法は、新たな通信網に切り替えるための切替要求信号を、外部の電話機から電話機への接続口を介して受信した際に、保留音を生成し、該生成した保留音を、インターネット網への接続口を介してインターネット網を介したＩＰ電話通信相手、または、加入電話網への接続口を介して加入電話網を介した加入電話通信相手に通知することで、一方の通話者に保留音を流すことが可能となり、インターネット上のＩＰ電話サーバーや加入電話網の交換機を経由せず、更に、相手端末の機能に関係なく、ＩＰ電話と加入電話との複合キャッチホンサービスを実現することが可能となる。また、ＩＰ電話と加入電話との複合キャッチホンサービスは、本発明にかかるルータ装置だけで、実現可能となるため、通話システムを変更する際に、インターネット上のＩＰ電話サーバや加入電話網の交換機を変更することなく、更に、相手端末を変更することなく、本発明にかかるルータ装置の改修だけで済むこととなり、コストダウンを図ることが可能となる。
【発明を実施するための最良の形態】
【００２８】
本発明にかかるルータ装置（１００）は、加入電話網２０００への接続口（１０２）、及び、ＡＤＳＬやＣＡＴＶ等のインターネット網１０００への接続口（１０１）、更に、既存の電話機１０への接続口（１０３）を持ち、ＩＰ電話サービスや加入電話網にて通話が可能なルータ装置（１００）において、電話機にて通話中に新たな着信を受けた際に着信の通信網をユーザに通知する機能と、ＩＰ電話と加入電話との通話切替え、ＩＰ電話とＩＰ電話との通話切替えを行う機能と、を有することを特徴とするものである。
【実施例１】
【００２９】
以下、添付図面を参照しながら、本発明にかかるルータ装置及び通話制御方法について説明する。
【００３０】
まず、図１を参照しながら、本発明にかかる通話システムのシステム構成について説明する。
【００３１】
本発明にかかる通話システムは、電話機（１０）とＰＣ（パーソナル・コンピュータ）（２０）とが接続されて構成されるルータ装置（１００）が、加入電話網（２０００）、及び、インターネット網（１０００）を介して上記ルータ装置（１００）と同様の接続構成にて構築されているルータ装置（２００）と接続されて構成される。
【００３２】
なお上記通話システムを構成するルータ装置（１００、２００）は、インターネット網（１０００）に接続する口、例えば、ＡＤＳＬやＣＡＴＶインターネットへ接続する口を有している。更に、ルータ装置（１００、２００）は、加入電話網（２０００）へ接続する口を有している。また、ルータ装置（１００、２００）は、既存の一般電話機（１０）と接続し加入電話網（２０００）を経由した通話、及び、インターネット網（１０００）を経由したＩＰ電話通話が可能となっている。更に、ルータ装置（１００、２００）は、ＰＣ（パーソナル・コンピュータ）（２０）と接続しインターネット網（１０００）を介したインターネット通信が可能となっている。
【００３３】
次に、図２を参照しながら、上記通話システムを構成するルータ装置（１００、２００）の構成について説明する。なお、以下の説明ではルータ装置（１００）の構成について説明するが、ルータ装置（２００）もルータ装置（１００）と同様な構成にて構築されている。
【００３４】
ルータ装置（１００）は、インターネット網（１０００）と接続しインターネット通信やＩＰ電話通話を行うためのインターネット網１０００への接続口（１０１）と、加入電話網（２０００）と接続し加入電話通話を行うための加入電話網２０００への接続口（１０２）と、既存の一般電話機（１０）と接続しＩＰ電話通話や加入電話通話を行う電話機１０への接続口（１０３）と、ＰＣ（パーソナル・コンピュータ）（２０）と接続しインターネット通信やルータ装置（１００）自身の制御をＰＣ（２０）を介して設定可能なＰＣ２０への接続口（１０４）と、ルータ機能制御装置（１０５）と、音声変換制御装置（１０６）と、リレー制御装置（１０７）と、トーン制御装置（１０８）と、を有して構成される。
【００３５】
次に、図２を参照しながら、本実施例におけるルータ装置（１００）における処理動作について説明する。なお、以下に説明する処理動作は、第１の処理動作として、ＩＰ電話通話中にインターネット網（１０００）からもう１つ別のＩＰ電話着信が来た場合と、第２の処理動作として、ＩＰ電話通話中に加入電話網（２０００）から加入電話着信が来た場合と、第３の処理動作として、加入電話通話中にインターネット網（１０００）からＩＰ電話着信が来た場合と、第４の処理動作として、加入電話通話中に加入電話網（２０００）からもう１つ別の加入電話着信が来た場合と、の４つの処理動作に分けて説明する。
【００３６】
（第１の処理動作）
まず、第１の処理動作である、ＩＰ電話通話中にインターネット網（１０００）からもう１つ別のＩＰ電話着信が来た場合について説明する。
【００３７】
まず、電話機（１０）は、インターネット網（１０００）を経由して第１のＩＰ電話通話相手とＩＰ電話通話をしている。この時、リレー制御装置（１０７）は音声変換制御装置（１０６）と接続されており加入電話網２０００への接続口（１０２）とは接続されていない。そして、電話機（１０）からのアナログ音声は、電話機１０への接続口（１０３）を介してリレー制御装置（１０７）に送信され、リレー制御装置（１０７）は受信したアナログ音声をリレー制御装置（１０７）と接続されている音声変換制御装置（１０６）に送信し、音声変換制御装置（１０６）は、受信したアナログ信号を音声データに変換し、その変換した音声データをルータ機能制御装置（１０５）に送信する。ルータ機能制御装置（１０５）は受信した音声データをパケット化し、そのパケット化した音声データパケットをインターネット網１０００への接続口（１０１）を介してインターネット網（１０００）に送出し、インターネット網（１０００）を介して第１のＩＰ電話通話相手に音声データパケットが届けられることになる。
【００３８】
また、インターネット網（１０００）を介して第１のＩＰ電話通話相手から送信される音声データパケットは、インターネット網１０００への接続口（１０１）を介してルータ機能制御装置（１０５）に届けられる。そして、ルータ機能制御装置（１０５）は音声データパケットから音声データ部分のみを取り出し、その取り出した音声データを音声変換制御装置（１０６）に送信する。音声変換制御装置（１０６）は受信した音声データをアナログ音声に変換し、その変換したアナログ音声は、音声変換制御装置（１０６）と接続されたリレー制御装置（１０７）から電話機１０への接続口（１０３）を介して電話機（１０）へ届けられることになる。これによりインターネット網（１０００）を介して接続された第１のＩＰ電話通話相手と電話機（１０）の通話者との間でＩＰ電話通話が行われることになる。
【００３９】
そして、上記第１のＩＰ電話通話相手側と電話機（１０）の通話者との間でＩＰ電話通話が行われている状態において、インターネット網（１０００）を介して新たなＩＰ電話着信がインターネット網１０００への接続口（１０１）からルータ機能制御装置（１０５）に送信されることとする。このとき、ルータ機能制御装置（１０５）は、新たなＩＰ電話通話者から受信したパケットにより新たなＩＰ電話着信が来たことを認識すると、新たなＩＰ電話着信が来た旨を電話機１０の通話者に知らせるためのトーン信号１（インカミングトーン１）を電話機（１０）へ送出するための依頼信号を、音声変換制御装置（１０６）を介してトーン制御装置（１０８）に対して送信する。そして、音声変換制御装置（１０６）を介してルータ機能制御装置（１０５）から送信された依頼信号を受信したトーン制御装置（１０８）は、電話機１０への接続口（１０３）を介して電話機（１０）にインカミングトーン１を送出する。なお、電話機（１０）に対して送出するインカミングトーン１は、ＩＰ電話からの着信であることが電話機（１０）のＩＰ電話通話者にわかるようなインカミントーンを生成して電話機（１０）に送出することになる。
【００４０】
そして、電話機（１０）のＩＰ電話通話者はインカミングトーン１を電話機（１０）から聞くことで新たなＩＰ電話着信が発生していることを認識する。そして、電話機（１０）のＩＰ電話通話者が新たなＩＰ電話着信に応答する場合には、電話機（１０）から特定の信号、例えばフッキングを行うことにより新たなＩＰ電話着信に応答したい旨をルータ装置（１００）に伝えることが可能となる。
【００４１】
ルータ装置（１００）の具備するトーン制御装置（１０８）は、電話機１０への接続口（１０３）を介して電話機（１０）から通知されるフッキングを検出すると、第１のＩＰ電話通話相手に対する保留音を生成する。そして、トーン制御装置（１０８）は、生成した保留音を、音声変換制御装置（１０６）に送信し、音声変換制御装置（１０６）は受信した保留音を音声データに変換する。そして、音声変換制御装置（１０６）は、変換した保留音の音声データを、ルータ機能制御装置（１０５）に送信し、ルータ機能制御装置（１０５）は受信した保留音の音声データをパケット化し、インターネット網１０００への接続口（１０１）を介してインターネット網（１０００）へ送出し、第１のＩＰ電話通話相手に保留音の音声データパケットが届けられることになる。また、トーン制御装置（１０８）は、フッキングを検出した際に、新たなＩＰ電話着信に応答するために、第１のＩＰ電話通話相手との通話から第２のＩＰ電話通話相手との通話を行う準備をするための切替依頼信号を音声変換制御装置（１０６）に送信する。音声変換制御装置（１０６）は、受信した切替依頼信号をルータ機能制御装置（１０５）に送信し、ルータ機能制御装置（１０５）は受信した切替依頼信号を基に、第１のＩＰ電話通話相手との通話から第２のＩＰ電話通話相手との通話を行うための切替処理を行うことになる。
【００４２】
これにより、インターネット網（１０００）を介して第１のＩＰ電話通話相手から送信される音声データパケットはルータ機能制御装置（１０５）において破棄されることになる。また、電話機（１０）から送信されるアナログ音声は、電話機１０への接続口（１０３）を介してリレー制御装置（１０７）に送信され、リレー制御装置（１０７）は、受信したアナログ音声をリレー制御装置（１０７）と接続されている音声変換制御装置（１０６）に送信する。音声変換制御装置（１０６）は、受信したアナログ音声を音声データに変換し、該変換した音声データをルータ機能制御装置（１０５）に送信する。ルータ機能制御装置（１０５）は受信した音声データをパケット化し、その音声データパケットをインターネット網１０００への接続口（１０１）を介してインターネット網（１０００）へ送出し、第２のＩＰ電話通話相手に音声データパケットが届けられることになる。
【００４３】
また、インターネット網（１０００）を介して第２のＩＰ電話通話相手から送信される音声データパケットはインターネット網１０００への接続口（１０１）を介してルータ機能制御装置（１０５）に送信される。ルータ機能制御装置（１０５）は受信した音声データパケットから音声データ部分のみを取り出し、その取り出した音声データを音声変換制御装置（１０６）に送信する。音声変換制御装置（１０６）は受信した音声データをアナログ音声に変換し、その変換したアナログ音声をリレー制御装置（１０７）に送信し、リレー制御装置（１０７）は、電話機１０への接続口（１０３）を介して電話機（１０）へ送信することになる。ここまでの状態において、第１のＩＰ電話通話相手には保留音が流れており、第２のＩＰ電話通話相手と電話機（１０）の通話者とがＩＰ電話通話を行っていることになる。
【００４４】
（第２の処理動作）
次に、第２の処理動作である、ＩＰ電話通話中に加入電話網（２０００）から加入電話着信が来た場合について説明する。
【００４５】
まず、電話機（１０）はインターネット網（１０００）を経由して第１のＩＰ電話通話相手とＩＰ電話通話をしている。この時、リレー制御装置（１０７）は音声変換制御装置（１０６）と接続されており加入電話網２０００への接続口（１０３）とは接続されていない。そして、電話機（１０）からのアナログ音声は、電話機１０への接続口（１０３）を介してリレー制御装置（１０７）に送信され、リレー制御装置（１０７）は受信したアナログ音声をリレー制御装置（１０７）と接続されている音声変換制御装置（１０６）に送信し、音声変換制御装置（１０６）は、受信したアナログ信号を音声データに変換し、その変換した音声データをルータ機能制御装置（１０５）に送信する。ルータ機能制御装置（１０５）は受信した音声データをパケット化し、そのパケット化した音声データパケットをインターネット網１０００への接続口（１０１）を介してインターネット網（１０００）に送出し、インターネット網（１０００）を介して第１のＩＰ電話通話相手に音声データパケットが届けられることになる。
【００４６】
また、インターネット網（１０００）を介して第１のＩＰ電話通話相手から送信される音声データパケットは、インターネット網１０００への接続口（１０１）を介してルータ機能制御装置（１０５）に届けられる。そして、ルータ機能制御装置（１０５）は音声データパケットから音声データ部分のみを取り出し、その取り出した音声データを音声変換制御装置（１０６）に送信する。音声変換制御装置（１０６）は受信した音声データをアナログ音声に変換し、その変換したアナログ音声は、音声変換制御装置（１０６）と接続されたリレー制御装置（１０７）から電話機１０への接続口（１０３）を介して電話機（１０）へ届けられることになる。これによりインターネット網（１０００）を介して接続された第１のＩＰ電話通話相手と電話機（１０）の通話者との間でＩＰ電話通話が行われることになる。
【００４７】
そして上記第１のＩＰ電話通話相手と電話機（１０）の通話者との間でＩＰ電話通話が行われている状態において、加入電話網（２０００）を介して新たな加入電話着信が加入電話網２０００への接続口（１０２）を介してトーン制御装置（１０８）に送信されることとする。トーン制御装置（１０８）は、加入電話網（２０００）を介して新たな加入電話着信が来たことを検出すると、電話１０の通話者に新たな加入電話着信が来た旨を知らせるためのトーン信号２（インカミングトーン２）を電話機１０への接続口（１０３）を介して電話機（１０）へ送出する。なお、電話機（１０）に送出するインカミングトーン２は、加入電話からの着信だと電話機（１０）の通話者にわかるようなインカミングトーンを生成して電話機（１０）に送出することになる。
【００４８】
そして、電話機（１０）の通話者はインカミングトーン２を電話機（１０）から聞くことで新たな加入電話着信が発生していることを認識する。そして、電話機（１０）の通話者が新たな加入電話着信に応答する場合には、電話機（１０）から特定の信号、例えばフッキングを行うことにより新たな加入電話着信に応答したい旨をルータ装置（１００）に伝えることが可能となる。
【００４９】
ルータ装置（１００）の具備するトーン制御装置（１０８）は、電話機１０への接続口（１０３）を介して電話機（１０）から通知されるフッキングを検出すると、第１のＩＰ電話通話相手に対する保留音を生成する。そして、トーン制御装置（１０８）は、生成した保留音を、音声変換制御装置（１０６）に送信し、音声変換制御装置（１０６）は受信した保留音を音声データに変換する。音声変換制御装置（１０６）は、変換した保留音の音声データを、ルータ機能制御装置（１０５）に送信し、ルータ機能制御装置（１０５）は受信した保留音の音声データをパケット化し、インターネット網１０００への接続口（１０１）を介してインターネット網（１０００）へ送出し、第１のＩＰ電話通話相手に保留音の音声データパケットが届けられることになる。また、トーン制御装置（１０８）は、フッキングを検出した際に、新たな加入電話着信に応答するために、第１のＩＰ電話通話相手との通話から加入電話通話相手との通話を行う準備をするための切替依頼信号を音声変換制御装置（１０６）に送信する。音声変換制御装置（１０６）は、受信した切替依頼信号をルータ機能制御装置（１０５）に送信し、ルータ機能制御装置は、受信した切替依頼信号を基に、第１のＩＰ電話通話相手との通話から加入電話通話相手との通話を行うための切替処理を行うことになる。これにより、インターネット網（１０００）を介して第１のＩＰ電話通話相手から送信される音声データパケットはルータ機能制御装置（１０５）において破棄されることになる。
【００５０】
さらに、トーン制御装置（１０８）は、加入電話網２０００への接続口（１０２）を介して加入電話通話相手との通話を行うための切替依頼信号をリレー制御装置（１０７）に送信し、リレー制御装置（１０７）は、受信した切替依頼信号を基に、音声変換制御装置（１０６）との接続から加入電話網２０００への接続口（１０２）との接続に切り替えることになる。これにより、加入電話網２０００への接続口（１０２）と電話機１０への接続口（１０３）とがリレー制御装置（１０７）を介して接続され、加入電話網（２０００）を介して届けられる加入電話通話相手からの着信に電話機（１０）が応答することになる。この後、電話機（１０）からのアナログ音声は、電話機１０への接続口（１０３）と加入電話網２０００への接続口（１０２）とを介して加入電話網（２０００）にそのまま送信され、加入電話網（２０００）を介して加入電話通話相手に届けられる。また、加入電話網（２０００）を介して加入電話通話相手から送信されたアナログ音声は、加入電話網２０００への接続口（１０２）と電話機１０への接続口（１０３）とを介して電話機（１０）にそのまま届けられる。ここまでの状態において、第１のＩＰ電話通話相手には保留音が流れており、加入電話通話相手と電話機（１０）の通話者とが加入電話通話を行っていることになる。
【００５１】
（第３の処理動作）
次に、第３の処理動作である、加入電話通話中にインターネット網（１０００）からＩＰ電話着信が来た場合について説明する。
【００５２】
まず、電話機（１０）は加入電話網（２０００）を経由して第１の加入電話通話相手と加入電話通話をしている。この時、リレー制御装置（１０７）は加入電話網２０００への接続口（１０２）と接続されており音声変換制御装置（１０６）とは接続されていない。そして、電話機（１０）から送信されたアナログ音声は、電話機１０への接続口（１０３）を介してリレー制御装置（１０７）に送信され、リレー制御装置（１０７）は、受信したアナログ信号をリレー制御装置（１０７）と接続されている加入電話網２０００への接続口（１０２）に送信し、電話機（１０）から送信されたアナログ音声は、そのまま加入電話網（２０００）を介して第１の加入電話通話相手に届けられることになる。また、加入電話網（２０００）を介して第１の加入電話通話相手から送信されたアナログ音声は、加入電話網２０００への接続口（１０２）を介してリレー制御装置（１０７）に送信され、リレー制御装置（１０７）は、受信したアナログ信号を電話機１０への接続口（１０３）に送信し、第１の加入電話通話相手から送信されたアナログ音声は、そのまま電話機（１０）に届けられることになる。これにより第１の加入電話通話相手と電話機（１０）の通話者との間で加入電話通話が行われることになる。
【００５３】
そして、上記第１の加入電話通話相手と電話機（１０）の通話者との間で加入電話通話が行われている状態において、インターネット網（１０００）を介して新たなＩＰ電話着信がインターネット網１０００への接続口（１０１）からルータ機能制御装置（１０５）に送信される。このとき、ルータ機能制御装置（１０５）は、新たなＩＰ電話通話者から受信したパケットにより新たなＩＰ電話着信が来たことを認識すると、新たなＩＰ電話着信が来た旨を電話機１０の通話者に知らせるためのトーン信号１（インカミングトーン１）を電話機（１０）へ送出するための依頼信号を、音声変換制御装置（１０６）を介してトーン制御装置（１０８）に送信する。そして、依頼信号を受信したトーン制御装置（１０８）は、電話機１０への接続口（１０３）を介して電話機（１０）に対してインカミングトーン１を送出する。なお、電話機（１０）に対して送出するインカミングトーン１は、ＩＰ電話からの着信であることが電話機（１０）の通話者にわかるようなインカミングトーンを生成して電話機（１０）に送出することになる。
【００５４】
そして、電話機（１０）の通話者はインカミングトーン１を電話機（１０）から聞くことで新たなＩＰ電話着信が発生していることを認識する。そして、電話機（１０）の通話者が新たなＩＰ電話着信に応答する場合には、電話機（１０）から特定の信号、例えばフッキングを行うことにより新たなＩＰ電話着信に応答したい旨をルータ装置（１００）に伝えることが可能となる。
【００５５】
ルータ装置（１００）の具備するトーン制御装置（１０８）は、電話機１０への接続口（１０３）を介して電話機（１０）から通知されるフッキングを検出すると、第１の加入電話通話相手に対する保留音を生成する。そして、トーン制御装置（１０８）は、生成した保留音を、そのまま加入電話網２０００への接続口（１０２）に送信し、加入電話網（２０００）を介して第１の加入電話通話相手に届けられることになる。
【００５６】
さらに、トーン制御装置（１０８）は、インターネット網１０００への接続口（１０１）を介してＩＰ電話通話相手との通話を行うための切替依頼信号をリレー制御装置（１０７）に送信し、リレー制御装置（１０７）は、受信した切替依頼信号を基に、加入電話網２０００への接続口（１０２）との接続から音声変換制御装置（１０６）との接続に切り替えることになる。これにより、電話機（１０）からのアナログ音声は、電話機１０への接続口（１０３）を介してリレー制御装置（１０７）に送信され、リレー制御装置（１０７）は受信したアナログ音声をリレー制御装置（１０７）と接続された音声変換制御装置（１０６）に送信し、音声変換制御装置（１０６）は、受信したアナログ信号を音声データに変換し、その変換した音声データをルータ機能制御装置（１０５）に送信する。ルータ機能制御装置（１０５）は受信した音声データをパケット化し、そのパケット化した音声データパケットをインターネット網１０００への接続口（１０１）を介してインターネット網（１０００）に送出し、インターネット網（１０００）を介してＩＰ電話通話相手に音声データパケットが届けられることになる。
【００５７】
また、インターネット網（１０００）を介してＩＰ電話通話相手から送信される音声データパケットは、インターネット網１０００への接続口（１０１）を介してルータ機能制御装置（１０５）に届けられる。そして、ルータ機能制御装置（１０５）は音声データパケットから音声データ部分のみを取り出し、その取り出した音声データを音声変換制御装置（１０６）に送信する。音声変換制御装置（１０６）は受信した音声データをアナログ音声に変換し、その変換したアナログ音声は、音声変換制御装置（１０６）と接続されたリレー制御装置（１０７）から電話機１０への接続口（１０３）を介して電話機（１０）へ届けられることになる。ここまでの状態で、第１の加入電話通話相手には保留音が流れており、ＩＰ電話通話相手と電話機（１０）の通話者との間でＩＰ電話通話を行っていることになる。
【００５８】
（第４の処理動作）
次に、第４の処理動作である、加入電話通話中に加入電話網（２０００）からもう１つ別の加入電話着信が来た場合について説明する。
【００５９】
なお、第４の処理動作において、ルータ装置（１００）は何の処理も行う必要はないが、全てのパターンを記述するために参考として記述することとする。
【００６０】
まず、電話機（１０）は加入電話網（２０００）を経由して第１の加入電話通話相手と加入電話通話をしている。この時、リレー制御装置（１０７）は加入電話網２０００への接続口（１０２）と接続されており音声変換制御装置（１０６）とは接続されていない。そして、電話機（１０）から送信されたアナログ音声は、電話機１０への接続口（１０３）を介してリレー制御装置（１０７）に送信され、リレー制御装置（１０７）は、受信したアナログ信号を加入電話網２０００への接続口（１０２）に送信し、電話機（１０）から送信されたアナログ信号は、そのまま加入電話網（２０００）を介して第１の加入電話通話相手に届けられることになる。また、加入電話網（２０００）を介して第１の加入電話通話相手から送信されたアナログ音声は、加入電話網２０００への接続口（１０２）を介してリレー制御装置（１０７）に送信され、リレー制御装置（１０７）は、受信したアナログ信号を電話機１０への接続口（１０３）に送信し、第１の加入電話通話相手から送信されたアナログ音声は、そのまま電話機（１０）に届けられることになる。これにより第１の加入電話通話相手と電話機（１０）の通話者との間で加入電話通話が行われることになる。
【００６１】
そして、上記第１の加入電話通話相手と電話機（１０）の通話者との間で加入電話通話が行われている状態において、加入電話網（２０００）を介して新たな加入電話着信が加入電話網２０００への接続口（１０２）からトーン制御装置（１０８）に送信されるのは、加入電話の付加サービスであるキャッチホンサービスを契約している場合であり、ルータ装置（１００）は、何もする必要がないことになる。
【００６２】
このように、上記構成からなるルータ装置（１００）は、第１の処理動作である、ＩＰ電話通話中にインターネット網（１０００）からもう１つ別のＩＰ電話着信が来た場合、また、第２の処理動作である、ＩＰ電話通話中に加入電話網（２０００）から加入電話着信が来た場合に、ルータ装置（１００）の具備するトーン制御装置（１０８）が、フッキングを検出した際に、第１のＩＰ電話通話相手に対する保留音を生成し、該生成した保留音を音声変換制御装置（１０６）に送信し、音声変換制御装置（１０６）は受信した保留音を音声データに変換する。そして、音声変換制御装置（１０６）は、変換した保留音の音声データを、ルータ機能制御装置（１０５）に送信し、ルータ機能制御装置（１０５）は受信した保留音の音声データをパケット化し、インターネット網１０００への接続口（１０１）を介してインターネット網（１０００）へ送出し、第１のＩＰ電話通話相手に保留音の音声データパケットが届けられることになる。また、第３の処理動作である、加入電話通話中にインターネット網（１０００）からＩＰ電話着信が来た場合に、トーン制御装置（１０８）が、フッキングを検出した際に、第１の加入電話通話相手に対する保留音を生成し、該生成した保留音をそのまま加入電話網２０００への接続口（１０２）に送信し、加入電話網（２０００）を介して第１の加入電話通話相手に届けられることになる。従って、本ルータ装置（１００）において一方の通話者には保留音を流すことが可能となるため、インターネット網（１０００）上のＩＰ電話サーバーや加入電話網（２０００）上の交換機を経由せず、更に、通話相手装置の機能に関係なく、ＩＰ電話と加入電話の複合キャッチホンサービスを実現することが可能となる。
【００６３】
また、ＩＰ電話と加入電話の複合キャッチホンサービスを本ルータ装置（１００）だけで実現可能となることから、インターネット網（１０００）上のＩＰ電話サーバーや加入電話網（２０００）上の交換機を変更することなく、更に、通話相手装置を変更することなく、本ルータ装置（１００）を変更するだけですむのでコストダウンを図ることが可能となる。
【実施例２】
【００６４】
次に、第２の実施例について説明する。
第１の実施例では通話中にもう１つ別の着信が来た場合の処理動作について説明したが、第２の実施例では、通話中にもう１つ別の相手に発信する、いわゆる３者通話に関する処理動作について説明する。なお、第２の実施例で説明する処理動作は、第１の処理動作として、ＩＰ電話通話中にインターネット網（１０００）へもう１つ別のＩＰ電話発信を行う場合と、第２の処理動作として、ＩＰ電話通話中に加入電話網（２０００）へ加入電話発信を行う場合と、第３の処理動作として、加入電話通話中にインターネット網（１０００）へもう１つ別のＩＰ電話発信を行う場合と、第４の処理動作として、加入電話通話中に加入電話網（２０００）へもう１つ別の加入電話発信を行う場合と、の４つの処理動作に分けて説明する。
【００６５】
（第１の処理動作）
まず、第１の処理動作である、ＩＰ電話通話中にインターネット網（１０００）へもう１つ別のＩＰ電話発信を行う場合について説明する。
【００６６】
まず、電話機（１０）は、インターネット網（１０００）を経由して第１のＩＰ電話通話相手とＩＰ電話通話をしている。この時、リレー制御装置（１０７）は音声変換制御装置（１０６）と接続されており加入電話網２０００への接続口（１０２）とは接続されていない。そして、電話機（１０）からのアナログ音声は、電話機１０への接続口（１０３）を介してリレー制御装置（１０７）に送信され、リレー制御装置（１０７）は受信したアナログ音声をリレー制御装置（１０７）と接続されている音声変換制御装置（１０６）に送信し、音声変換制御装置（１０６）は、受信したアナログ信号を音声データに変換し、その変換した音声データをルータ機能制御装置（１０５）に送信する。ルータ機能制御装置（１０５）は受信した音声データをパケット化し、そのパケット化した音声データパケットをインターネット網１０００への接続口（１０１）を介してインターネット網（１０００）に送出し、インターネット網（１０００）を介して第１のＩＰ電話通話相手に音声データパケットが届けられることになる。
【００６７】
また、インターネット網（１０００）を介して第１のＩＰ電話通話相手から送信される音声データパケットは、インターネット網１０００への接続口（１０１）を介してルータ機能制御装置（１０５）に届けられる。そして、ルータ機能制御装置（１０５）は音声データパケットから音声データ部分のみを取り出し、該取り出した音声データを音声変換制御装置（１０６）に送信する。音声変換制御装置（１０６）は受信した音声データをアナログ音声に変換し、その変換したアナログ音声は、音声変換制御装置（１０６）と接続されたリレー制御装置（１０７）から電話機１０への接続口（１０３）を介して電話機（１０）へ届けられることになる。これによりインターネット網（１０００）を介して接続された第１のＩＰ電話通話相手と電話機（１０）の通話者との間でＩＰ電話通話が行われることになる。
【００６８】
そして、上記第１のＩＰ電話通話相手と電話機（１０）の通話者との間でＩＰ電話通話が行われている状態において、電話機（１０）からインターネット網（１０００）へ新たなＩＰ電話発信を行うこととする。この時、電話機（１０）の通話者が新たなＩＰ電話発信を行うためには電話機（１０）から特定の信号、例えばフッキングを行うことにより新たなＩＰ電話発信を行いたい旨をルータ装置（１００）に伝えることが出来る。
【００６９】
ルータ装置（１００）の具備するトーン制御装置（１０８）は、電話機１０への接続口（１０３）を介して電話機（１０）から通知されるフッキングを検出すると、第１のＩＰ電話通話相手に対する保留音を生成する。そして、トーン制御装置（１０８）は、生成した保留音を、音声変換制御装置（１０６）に送信し、音声変換制御装置（１０６）は受信した保留音を音声データに変換する。そして、音声変換制御装置（１０６）は、変換した保留音の音声データを、ルータ機能制御装置（１０５）に送信し、ルータ機能制御装置（１０５）は受信した保留音の音声データをパケット化し、インターネット網１０００への接続口（１０１）を介してインターネット網（１０００）へ送出し、第１のＩＰ電話通話相手に保留音の音声データパケットが届けられることになる。また、トーン制御装置（１０８）は、第１のＩＰ電話通話相手との通話から第２のＩＰ電話通話相手との通話を行う準備をするための切替依頼信号を音声変換制御装置（１０６）に送信する。音声変換制御装置（１０６）は、受信した切替依頼信号をルータ機能制御装置（１０５）に送信し、ルータ機能制御装置（１０５）は受信した切替依頼信号を基に、第１のＩＰ電話通話相手との通話から第２のＩＰ電話通話相手との通話を行うための切替処理を行うことになる。これにより、インターネット網（１０００）を介して第１のＩＰ電話通話相手から送信される音声データパケットはルータ機能制御装置（１０５）において破棄されることになる。
【００７０】
さらに、トーン制御装置（１０８）は、フッキングを検出した際に、電話機（１０）の通話者に対して新たなＩＰ電話発信が可能である旨を伝える特殊なトーン、例えばセカンドダイヤルトーンを電話機１０への接続口（１０３）を介して電話機（１０）に送出することになる。そして、電話機（１０）の通話者は、このセカンドダイヤルトーンを電話機（１０）から聞くことで電話機（１０）から新たなＩＰ電話発信が可能であることを認識できることになる。そして、電話機１０への接続口（１０３）を介して送信される電話機（１０）からダイヤリングされたダイヤル番号をトーン制御装置（１０８）が受信することで、トーン制御装置（１０８）はＩＰ電話発信だということを認識することになる。これにより、ルータ装置（１００）は、インターネット網（１０００）を介して第２のＩＰ電話通話相手と電話機（１０）の通話者との通話を確立することとなる。
【００７１】
なお、トーン制御装置（１０８）が、インターネット網（１０００）を介した発信か加入電話網（２０００）を介した発信かを識別するのは、例えば、電話機（１０）からダイヤリングされたダイヤル番号の先頭が９９９９の場合はＩＰ電話発信と認識し、ダイヤル番号の先頭が８８８８の場合は加入電話発信と認識するような情報をトーン制御装置（１０８）に設定しておけば可能となる。
【００７２】
その後、電話機（１０）からのアナログ音声は、電話機１０への接続口（１０３）を介してリレー制御装置（１０７）に送信され、リレー制御装置（１０７）は受信したアナログ音声をリレー制御装置（１０７）と接続されている音声変換制御装置（１０６）に送信し、音声変換制御装置（１０６）は、受信したアナログ信号を音声データに変換し、その変換した音声データをルータ機能制御装置（１０５）に送信する。ルータ機能制御装置（１０５）は受信した音声データをパケット化し、そのパケット化した音声データパケットをインターネット網１０００への接続口（１０１）を介してインターネット網（１０００）に送出し、インターネット網（１０００）を介して第２のＩＰ電話通話相手に音声データパケットが届けられることになる。
【００７３】
また、インターネット網（１０００）を介して第２のＩＰ電話通話相手から送信される音声データパケットは、インターネット網１０００への接続口（１０１）を介してルータ機能制御装置（１０５）に届けられる。そして、ルータ機能制御装置（１０５）は音声データパケットから音声データ部分のみを取り出し、該取り出した音声データを音声変換制御装置（１０６）に送信する。音声変換制御装置（１０６）は受信した音声データをアナログ音声に変換し、その変換したアナログ音声は、音声変換制御装置（１０６）と接続されたリレー制御装置（１０７）から電話機１０への接続口（１０３）を介して電話機（１０）へ届けられることになる。ここまでの状態において、第１のＩＰ電話通話相手には保留音が流れており、第２のＩＰ電話通話相手と電話機（１０）の通話者とがＩＰ電話通話を行っていることになる。
【００７４】
（第２の処理動作）
次に、第２の処理動作である、ＩＰ電話通話中に加入電話網（２０００）へ加入電話発信を行う場合について説明する。
【００７５】
まず、電話機（１０）はインターネット網（１０００）を経由して第１のＩＰ電話通話相手とＩＰ電話通話をしている。この時、リレー制御装置（１０７）は音声変換制御装置（１０６）と接続されており加入電話網２０００への接続口（１０２）とは接続されていない。そして、電話機（１０）からのアナログ音声は、電話機１０への接続口（１０３）を介してリレー制御装置（１０７）に送信され、リレー制御装置（１０７）は受信したアナログ音声をリレー制御装置（１０７）と接続されている音声変換制御装置（１０６）に送信し、音声変換制御装置（１０６）は、受信したアナログ信号を音声データに変換し、その変換した音声データをルータ機能制御装置（１０５）に送信する。ルータ機能制御装置（１０５）は受信した音声データをパケット化し、そのパケット化した音声データパケットをインターネット網１０００への接続口（１０１）を介してインターネット網（１０００）に送出し、インターネット網（１０００）を介して第１のＩＰ電話通話相手に音声データパケットが届けられることになる。
【００７６】
また、インターネット網（１０００）を介して第１のＩＰ電話通話相手から送信される音声データパケットは、インターネット網１０００への接続口（１０１）を介してルータ機能制御装置（１０５）に届けられる。そして、ルータ機能制御装置（１０５）は音声データパケットから音声データ部分のみを取り出し、その取り出した音声データを音声変換制御装置（１０６）に送信する。音声変換制御装置（１０６）は受信した音声データをアナログ音声に変換し、その変換したアナログ音声は、音声変換制御装置（１０６）と接続されたリレー制御装置（１０７）から電話機１０への接続口（１０３）を介して電話機（１０）へ届けられることになる。これによりインターネット網（１０００）を介して接続された第１のＩＰ電話通話相手と電話機（１０）の通話者との間でＩＰ電話通話が行われることになる。
【００７７】
そして、上記第１のＩＰ電話通話相手と電話機（１０）の通話者との間でＩＰ電話通話が行われている状態において、電話機（１０）から加入電話網（２０００）へ新たな加入電話発信を行うこととする。この時、電話機（１０）の通話者が新たな加入電話発信を行うためには電話機（１０）から特定の信号、例えばフッキングを行うことにより新たな加入電話発信を行いたい旨をルータ装置（１００）に伝えることが出来る。
【００７８】
ルータ装置（１００）の具備するトーン制御装置（１０８）は、電話機１０への接続口（１０３）を介して電話機（１０）から通知されるフッキングを検出すると、第１のＩＰ電話通話相手に対する保留音を生成する。そして、トーン制御装置（１０８）は、生成した保留音を、音声変換制御装置（１０６）に送信し、音声変換制御装置（１０６）は受信した保留音を音声データに変換する。そして、音声変換制御装置（１０６）は、変換した保留音の音声データを、ルータ機能制御装置（１０５）に送信し、ルータ機能制御装置（１０５）は受信した保留音の音声データをパケット化し、インターネット網１０００への接続口（１０１）を介してインターネット網（１０００）へ送出し、第１のＩＰ電話通話相手に保留音の音声データパケットが届けられることになる。また、トーン制御装置（１０８）は、第１のＩＰ電話通話相手との通話から加入電話通話相手との通話を行う準備をするための切替依頼信号を音声変換制御装置（１０６）に送信する。音声変換制御装置（１０６）は、受信した切替依頼信号をルータ機能制御装置（１０５）に送信し、ルータ機能制御装置は、受信した切替依頼信号を基に、第１のＩＰ電話通話相手との通話から加入電話通話相手との通話を行うための切替処理を行うことになる。これにより、インターネット網（１０００）を介して第１のＩＰ電話通話相手から送信される音声データパケットはルータ機能制御装置（１０５）において破棄されることになる。
【００７９】
さらに、トーン制御装置（１０８）は、フッキングを検出した際に、電話機（１０）の通話者に対して加入電話発信が可能である旨を伝える特殊なトーン、例えばセカンドダイヤルトーンを電話機１０への接続口（１０３）を介して電話機（１０）に送出する。そして、電話機（１０）の通話者が、このセカンドダイヤルトーンを電話機（１０）から聞くことで電話機（１０）から新たな加入電話発信が可能であることを認識できることになる。そして、電話機１０への接続口（１０３）を介して送信される電話機（１０）からダイヤリングされたダイヤル番号をトーン制御装置（１０８）が受信することで、トーン制御装置（１０８）は加入電話発信だということを認識することになる。
【００８０】
なお、トーン制御装置（１０８）が、インターネット網（１０００）を介した発信か加入電話網（２０００）を介した発信かを識別するのは、例えば、電話機（１０）からダイヤリングされたダイヤル番号の先頭が９９９９の場合はＩＰ電話発信と認識し、ダイヤル番号の先頭が８８８８の場合は加入電話発信と認識するような情報をトーン制御装置（１０８）に設定しておけば可能となる。
【００８１】
そして、トーン制御装置（１０８）は、ダイヤル番号により加入電話発信であることを認識すると、音声変換制御装置（１０６）との接続から加入電話網２０００への接続口（１０２）との接続に切り替えるための切替依頼信号をリレー制御装置（１０７）に送信し、リレー制御装置（１０７）は、受信した切替依頼信号を基に、音声変換制御装置（１０６）との接続から加入電話網２０００への接続口（１０２）との接続に切り替えることになる。これにより、ダイヤル番号を加入電話網２０００への接続口（１０２）を介して加入電話網（２０００）に送信し、加入電話網（２０００）を介して第２の加入電話通話相手と電話機（１０）の通話者との通話を確立することになる。この後、電話機（１０）からのアナログ音声は、電話機１０への接続口（１０３）と加入電話網２０００への接続口（１０２）とを介して加入電話網（２０００）にそのまま送信され、加入電話網（２０００）を介して第２の加入電話通話相手に届けられる。また、加入電話網（２０００）を介して第２の加入電話通話相手から送信されたアナログ音声は、加入電話網２０００への接続口（１０２）と電話機１０への接続口（１０３）とを介して電話機（１０）にそのまま届けられる。ここまでの状態において、第１のＩＰ電話通話相手には保留音が流れており、第２の加入電話通話相手と電話機（１０）の通話者とが加入電話通話を行っていることになる。
【００８２】
（第３の処理動作）
次に、第３の処理動作である、加入電話通話中にインターネット網（１０００）へもう１つ別のＩＰ電話発信を行う場合について説明する。
【００８３】
まず、電話機（１０）は加入電話網（２０００）を経由して第１の加入電話通話相手と加入電話通話をしている。この時、リレー制御装置（１０７）は加入電話網２０００への接続口（１０２）と接続されており音声変換制御装置（１０６）とは接続されていない。そして、電話機（１０）から送信されたアナログ音声は、電話機１０への接続口（１０３）を介してリレー制御装置（１０７）に送信され、リレー制御装置（１０７）は、受信したアナログ信号をリレー制御装置（１０７）と接続されている加入電話網２０００への接続口（１０２）に送信し、電話機（１０）から送信されたアナログ音声は、そのまま加入電話網（２０００）を介して第１の加入電話通話相手に届けられることになる。また、加入電話網（２０００）を介して第１の加入電話通話相手から送信されたアナログ音声は、加入電話網２０００への接続口（１０２）を介してリレー制御装置（１０７）に送信され、リレー制御装置（１０７）は、受信したアナログ信号を電話機１０への接続口（１０３）に送信し、第１の加入電話通話相手から送信されたアナログ音声は、そのまま電話機（１０）に届けられることになる。これにより第１の加入電話通話相手と電話機（１０）の通話者との間で加入電話通話が行われることになる。
【００８４】
そして、上記第１の加入電話通話相手と電話機（１０）の通話者との間で加入電話通話が行われている状態において、電話機（１０）からインターネット網（１０００）へ新たなＩＰ電話発信を行うこととする。このとき、電話機（１０）の通話者が新たなＩＰ電話発信を行うためには電話機（１０）から特定の信号、例えばフッキングを行うことにより新たなＩＰ電話発信を行いたい旨をルータ装置（１００）に伝えることが出来る。
【００８５】
ルータ装置（１００）の具備するトーン制御装置（１０８）は、電話機１０への接続口（１０３）を介して電話機（１０）から通知されるフッキングを検出すると、第１の加入電話通話相手に対する保留音を生成する。そして、トーン制御装置（１０８）は、生成した保留音を、そのまま加入電話網２０００への接続口（１０２）に送信し、加入電話網（２０００）を介して第１の加入電話通話相手に届けられることになる。
【００８６】
さらに、トーン制御装置（１０８）は、フッキングを検出した際に、電話機（１０）の通話者に対して新たなＩＰ電話発信が可能である旨を伝える特殊なトーン、例えば、セカンドダイヤルトーンを電話機１０への接続口（１０３）を介して電話機（１０）に送出することになる。そして、電話機（１０）の通話者は、このセカンドダイヤルトーンを電話機（１０）から聞くことで電話機（１０）から新たなＩＰ電話発信が可能であることを認識できることになる。そして、電話機（１０）からダイヤリングされたダイヤル番号をトーン制御装置（１０８）が受信することで、トーン制御装置（１０８）はＩＰ電話発信だということを認識することになる。そして、トーン制御装置（１０８）は、インターネット網１０００への接続口（１０１）を介して新たなＩＰ電話通話相手との通話を行うための切替依頼信号をリレー制御装置（１０７）に送信し、リレー制御装置（１０７）は、受信した切替依頼信号を基に、加入電話網２０００への接続口（１０２）との接続から音声変換制御装置（１０６）との接続に切り替えることになる。これにより、ルータ装置（１００）はインターネット網（１０００）を介して第２のＩＰ電話通話相手と電話機（１０）の通話者との通話を確立することになる。
【００８７】
なお、トーン制御信号（１０８）がインターネット網（１０００）を介した発信か加入電話網（２０００）を介した発信かを識別するのは、例えば、電話機（１０）からダイヤリングされたダイヤル番号の先頭が９９９９の場合はＩＰ電話発信と認識し、ダイヤル番号の先頭が８８８８の場合は加入電話発信と認識するような情報をトーン制御装置（１０８）に設定しておけば可能となる。
【００８８】
そして、この後、電話機（１０）からのアナログ音声は、電話機１０への接続口（１０３）を介してリレー制御装置（１０７）に送信され、リレー制御装置（１０７）は受信したアナログ音声をリレー制御装置（１０７）と接続されている音声変換制御装置（１０６）に送信し、音声変換制御装置（１０６）は、受信したアナログ信号を音声データに変換し、その変換した音声データをルータ機能制御装置（１０５）に送信する。ルータ機能制御装置（１０５）は受信した音声データをパケット化し、そのパケット化した音声データパケットをインターネット網１０００への接続口（１０１）を介してインターネット網（１０００）に送出し、インターネット網（１０００）を介して第２のＩＰ電話通話相手に音声データパケットが届けられることになる。
【００８９】
また、インターネット網（１０００）を介して第２のＩＰ電話通話相手から送信される音声データパケットは、インターネット網１０００への接続口（１０１）を介してルータ機能制御装置（１０５）に届けられる。そして、ルータ機能制御装置（１０５）は音声データパケットから音声データ部分のみを取り出し、該取り出した音声データを音声変換制御装置（１０６）に送信する。音声変換制御装置（１０６）は受信した音声データをアナログ音声に変換し、その変換したアナログ音声は、音声変換制御装置（１０６）と接続されたリレー制御装置（１０７）から電話機１０への接続口（１０３）を介して電話機（１０）へ届けられることになる。ここまでの状態において、第１の加入電話通話相手には保留音が流れており、第２のＩＰ電話通話相手と電話機（１０）の通話者とがＩＰ電話通話を行っていることになる。
【００９０】
（第４の処理動作）
次に、第４の処理動作である、加入電話通話中に加入電話網（２０００）へもう１つ別の加入電話発信を行う場合について説明する。
【００９１】
なお、第４の処理動作において、ルータ装置（１００）は何の処理も行う必要はないが、全てのパターンを記述するために参考として記述することとする。
【００９２】
まず、電話機（１０）は加入電話網（２０００）を経由して第１の加入電話通話相手と加入電話通話をしている。この時、リレー制御装置（１０７）は加入電話網２０００への接続口（１０２）と接続されており音声変換制御装置（１０６）とは接続されていない。そして、電話機（１０）から送信されたアナログ音声は、電話機１０への接続口（１０３）を介してリレー制御装置（１０７）に送信され、リレー制御装置（１０７）は、受信したアナログ信号を加入電話網２０００への接続口（１０２）に送信し、電話機（１０）から送信されたアナログ信号は、そのまま加入電話網（２０００）を介して第１の加入電話通話相手に届けられることになる。また、加入電話網（２０００）を介して第１の加入電話通話相手から送信されたアナログ音声は、加入電話網２０００への接続口（１０２）を介してリレー制御装置（１０７）に送信され、リレー制御装置（１０７）は、受信したアナログ信号を電話機１０への接続口（１０３）に送信し、第１の加入電話通話相手から送信されたアナログ音声は、そのまま電話機（１０）に届けられることになる。これにより第１の加入電話通話相手と電話機（１０）の通話者との間で加入電話通話が行われることになる。
【００９３】
そして、上記第１の加入電話通話相手と電話機（１０）の通話者との間で加入電話通話が行われている状態において、電話機（１０）の通話者が加入電話網（２０００）へ新たな加入電話発信を行うためには、加入電話の付加サービスである３者通話を契約している場合であり、ルータ装置（１００）は、何もする必要がないことになる。
【００９４】
なお、上述する実施例は、本発明の好適な実施例であり、本発明の要旨を逸脱しない範囲において種々変更実施が可能であり、上記ルータ装置を適用したシステム構成であれば、特に限定するものではない。
【産業上の利用可能性】
【００９５】
本発明にかかるルータ装置は、加入電話網、及び、インターネット網の両方の通信網を介して通話を行う通話システムであれば、適用可能である。
【図面の簡単な説明】
【００９６】
【図１】本発明にかかる通話システムのシステム構成を示す図である。
【図２】本発明にかかるルータ装置の構成、及び、そのルータ装置における処理動作を示す図である。
【符号の説明】
【００９７】
１０    電話機
２０    ＰＣ（パーソナル・コンピュータ）
１００    ルータ装置
１０１    インターネット網１０００への接続口
１０２    加入電話網２０００への接続口
１０３    電話機１０への接続口
１０４    ＰＣ２０への接続口
１０５    ルータ機能制御装置
１０６    音声変換制御装置
１０７    リレー制御装置
１０８    トーン制御装置
１０００    インターネット網
２０００    加入電話網
【図１】
2005073085.tif 000003
【図２】
2005073085.tif 000004